(57)【要約】【課題】  ドーミングの発生が防止され、且つ、画面上に、黒い横縞模様や明るい横縞模様が視認されないカラー陰極線管を提供する。【解決手段】  垂直方向に引っ張り力が付与された状態で架張されたシャドウマスク５は垂直方向に沿った複数の孔列１５を有し、孔列１５は、複数の開孔２０と、垂直方向に隣り合う開孔２０の間に挟まれたブリッジ２１とを有する。開孔２０の垂直方向に沿った一対の辺は、水平方向に互いに対向する位置に、少なくとも一対の突出部２２ａ，２２ｂを有する。ブリッジ２１の根元部分での開孔２０の水平方向幅をＷ1、突出部２２ａ，２２ｂの根元部分での開孔２０の水平方向幅をＷ2としたとき、Ｗ1＜Ｗ2である。【選択図】  図３
2005259521.tif 000002
【特許請求の範囲】
【請求項１】
枠状のフレームと、前記フレームに垂直方向に引っ張り力が付与された状態で架張されたシャドウマスクとを備えたカラー陰極線管であって、
前記シャドウマスクは、垂直方向に沿った複数の孔列を有し、
前記孔列は、複数の開孔と、垂直方向に隣り合う前記開孔の間に挟まれたブリッジとを有し、
前記開孔の垂直方向に沿った一対の辺は、水平方向に互いに対向する位置に、前記開孔内に突出した少なくとも一対の突出部を有し、
前記ブリッジの根元部分での前記開孔の水平方向幅をＷ1、前記突出部の根元部分での前記開孔の水平方向幅をＷ2としたとき、Ｗ1＜Ｗ2であることを特徴とするカラー陰極線管。
【請求項２】
前記ブリッジの根元部分での前記開孔の水平方向幅Ｗ1が、そのブリッジの前記シャドウマスク内における位置により異なる請求項１に記載のカラー陰極線管。
【請求項３】
互いに対向する一対の前記突出部の水平方向間隔をＳｂとしたとき、Ｓｂ＜Ｗ1である請求項１に記載のカラー陰極線管。
【請求項４】
前記突出部の根元部分から前記ブリッジの根元部分までの間に、前記開孔の水平方向幅が階段状に変化する部分を有している請求項１に記載のカラー陰極線管。
【請求項５】
前記突出部の根元部分から前記ブリッジの根元部分までの間に、前記開孔の水平方向幅がテーパ状に変化する部分を有している請求項１に記載のカラー陰極線管。
【発明の詳細な説明】
【技術分野】
【０００１】
本発明は、シャドウマスクを備えたカラー陰極線管に関する。
【背景技術】
【０００２】
カラー陰極線管では、電子銃から射出される電子ビームが、シャドウマスクに形成された開孔を通過した後、蛍光体スクリーンに射突して、蛍光体を発光させる。
【０００３】
図７に示すように、シャドウマスク９５は、矢印９の方向（垂直方向、即ちＹ軸方向）に張力が印加された状態でマスクフレーム９６に溶接されている。シャドウマスク９５には、多数の開孔９０が形成されており、電子ビームはこの開孔９０を通過して蛍光体スクリーンに到達する。
【０００４】
このようなテンション方式のシャドウマスク９５に形成される開孔９０の形状及び配置としては、図８のように、Ｙ軸方向を長手方向とする略スロット型のほぼ同じ形状の開孔９０を多数配列したものが一般的である。
【０００５】
このようなシャドウマスク９５では、Ｙ軸方向に隣り合う２つの開孔９０を仕切るブリッジ９１に起因する以下の２つの問題がある。
【０００６】
第１の問題は、電子ビームによって加熱されたシャドウマスク９５の熱膨張がブリッジ９１を介して水平方向（Ｘ軸方向）に伝達され、開孔９０と蛍光体スクリーンとの相対的位置ずれ（即ち、ドーミング）が発生することである。この観点からは、ブリッジ９１のＹ軸方向の配置ピッチはなるべく大きい方が好ましい。
【０００７】
第２の問題は、ブリッジ９１によって電子ビームが遮断され、蛍光体スクリーン上にブリッジ９１による影が形成されることである。ブリッジ９１が略等間隔の多数の水平方向線に沿って規則正しく配置されていることにより、その影が黒い横縞模様として認識されてしまう。この横縞模様はその垂直方向間隔が大きいほど視認されやすい。従って、黒い横縞模様を防止する観点からは、ブリッジ９１のＹ軸方向の配置ピッチはなるべく小さい方が好ましい。
【０００８】
以上のようなブリッジ９１のＹ軸方向の配置ピッチに対する相反する要求を満足させるために、図９（Ａ）に示すように、横方向の両縁に一対の突出部９２ａ，９２ｂを有する開孔９０が提案されている（特許文献１参照）。一対の突出部９２ａ，９２ｂは不連続であるから熱膨張を水平方向に伝達することはないが、ブリッジ９１と同様に影を形成するので、ブリッジの影による黒い横縞模様が視認されにくくなる。
【特許文献１】特開２００１−８４９１８号公報
【発明の開示】
【発明が解決しようとする課題】
【０００９】
画質の高精細化が要求されるに従ってシャドウマスクに形成される開孔の水平方向ピッチも微細化する必要がある。そのためには、開孔の水平方向の開孔幅も小さくする必要がある。
【００１０】
しかしながら、一般にシャドウマスクの開孔はエッチングにより形成されるので、上記特許文献１に記載された開孔９０の水平方向開孔幅Ｗ0（図９（Ｂ）を参照）を小さくしても、一対の突出部９２ａ，９２ｂ間の水平方向間隔Ｓｂをある下限値以下に小さくすることができない。このことは、一対の突出部９２ａ，９２ｂの突出長Ｈが小さくなることを意味し、ブリッジ９１の影に比べて一対の突出部９２ａ，９２ｂの影が相対的に小さくなり、ブリッジだけが目立つことになるため、上記の黒い横縞模様を低減する効果が得られにくい。
【００１１】
これを補うためには、一対の突出部９２ａ，９２ｂの垂直方向寸法ＤＢVをブリッジ９１の垂直方向寸法ＢVに比べて大きくして、これにより一対の突出部９２ａ，９２ｂの影となる部分の面積を確保することが考えられるが、こうすると別の問題が発生する。
【００１２】
一般に、パネルの内面に蛍光体スクリーンを形成するための方法として、シャドウマスクを露光マスクとして使用し、垂直方向に長く延びる蛍光体ストライプを形成する露光法が採用されている。このような露光法では、光量に応じて、形成される蛍光体ストライプの幅に変化が生じるため、本来影となるブリッジと対向する部分も露光されるように垂直方向に揺動させながら露光を行う。しかし、上述のように、一対の突出部９２ａ，９２ｂの垂直方向寸法ＤＢVをブリッジ９１の垂直方向寸法ＢVより大きくすると、一定幅の蛍光体ストライプを形成するのが難しく、幅が太い部分を備えた蛍光体ストライプが形成されてしまう。結果、各蛍光体ストライプで部分的に太い部分が繰り返し形成されてしまい、画面全体として見ると、水平方向へ並んだ各蛍光体ストライプの幅の太い部分が明るい横縞模様として視認され、カラー陰極線管の表示品位を低下させてしまうという問題がある。
【００１３】
本発明は、上記の従来の陰極線管の問題を解決し、ドーミングの発生を抑えるとともに、水平方向ピッチを微細化しても画面の表示品位を損なわないカラー陰極線管を提供することを目的とする。
【課題を解決するための手段】
【００１４】
本発明のカラー陰極線管は、枠状のフレームと、前記フレームに垂直方向に引っ張り力が付与された状態で架張されたシャドウマスクとを備える。前記シャドウマスクは、垂直方向に沿った複数の孔列を有し、前記孔列は、複数の開孔と、垂直方向に隣り合う前記開孔の間に挟まれたブリッジとを有する。前記開孔の垂直方向に沿った一対の辺は、水平方向に互いに対向する位置に、前記開孔内に突出した少なくとも一対の突出部を有し、前記ブリッジの根元部分での前記開孔の水平方向幅をＷ1、前記突出部の根元部分での前記開孔の水平方向幅をＷ2としたとき、Ｗ1＜Ｗ2である。
【発明の効果】
【００１５】
本発明によれば、色純度が良好で、且つ、高精細のカラー陰極線管を得ることができる。
【発明を実施するための最良の形態】
【００１６】
以下、本発明のカラー陰極線管を図面を用いて説明する。
【００１７】
本発明のカラー陰極線管の一実施形態を図１に示す。カラー陰極線管１は、内面に蛍光体スクリーン２ａが形成されたパネル２とファンネル３とからなる外囲器を備える。ファンネル３のネック部３ａには電子銃４が内装されている。蛍光体スクリーン２ａに対向するシャドウマスク５がマスクフレーム６によって支持され、マスクフレーム６はスプリング（図示せず）を介してパネル２の内壁に設けられたパネルピン（図示せず）に取り付けられる。また、電子銃４から射出される３本の電子ビーム７を偏向走査させるために、ファンネル３の外部に偏向ヨーク８が設けられている。以下の説明の便宜のために、管軸をＺ軸、Ｚ軸を通る水平方向軸をＸ軸、Ｚ軸を通る垂直方向軸をＹ軸とするＸＹＺ直交座標系を設定する。
【００１８】
シャドウマスク５とマスクフレーム６とからなる組み立て体を図２に示す。マスクフレーム６は、長辺をなす対向する一対の支持体１０と短辺をなす対向する一対の弾性部材１１とが長方形状の枠体となるように固定されて構成される。シャドウマスク５は、矢印９の方向（垂直方向、即ちＹ軸方向）に張力を印加された状態で一対の支持体１０に溶接されている。シャドウマスク５は、電子ビームが通過する開孔が垂直方向に並んだ孔列１５を水平方向（Ｘ軸方向）に多数有している。
【００１９】
図３（Ａ）は、シャドウマスク５の部分拡大正面図である。各孔列１５は、垂直方向を長手方向とする開孔２０と、垂直方向に隣り合う開孔２０の間に挟まれたブリッジ２１とを有する。
【００２０】
図３（Ｂ）は、シャドウマスク５に形成された開孔２０の形状を示した拡大正面図である。開孔２０の垂直方向に沿った、互いに対向する一対の辺は、水平方向に互いに対向する位置に、互いに接近するように、開孔２０内に突出した少なくとも一対の突出部２２ａ，２２ｂを有している。ブリッジ２１の垂直方向の中心位置を通る水平方向線をブリッジ２１の水平方向中心線２１’、一対の突出部２２ａ，２２ｂの垂直方向の中心位置を通る水平方向線を一対の突出部２２ａ，２２ｂの水平方向中心線２２’としたとき、垂直方向に隣り合う水平方向中心線２１’（又は、水平方向中心線２２’）と水平方向中心線２２’との間隔Ｐは、シャドウマスク５の全領域にわたってほぼ一定である。
【００２１】
一対の突出部２２ａ，２２ｂが形成された部分を除く開孔２０の水平方向幅は、垂直方向において一定ではなく、ブリッジ２１の近傍において狭い。即ち、図３（Ｂ）に示すように、ブリッジ２１の根元部分での開孔２０の水平方向幅をＷ1、一対の突出部２２ａ，２２ｂの根元部分での開孔２０の水平方向幅をＷ2としたとき、Ｗ1＜Ｗ2である。
【００２２】
これによる作用を、従来のシャドウマスクと比較しながら以下に説明する。
【００２３】
図４（Ａ）は、図９（Ａ）及び図９（Ｂ）に示した従来のカラー陰極線管のシャドウマスクにおいて、ブリッジ近傍を示した拡大正面図である。ブリッジ９１の垂直方向の中心位置を通る水平方向線をブリッジ９１の水平方向中心線９１’、一対の突出部９２ａ，９２ｂの垂直方向の中心位置を通る水平方向線を一対の突出部９２ａ，９２ｂの水平方向中心線９２’としたとき、垂直方向に隣り合う水平方向中心線９１’（又は、水平方向中心線９２’）と水平方向中心線９２’との間隔Ｐは、シャドウマスク９５の全領域にわたってほぼ一定である。
【００２４】
上述したように、開孔９０はエッチングにより形成されるので、一対の突出部９２ａ，９２ｂ間の水平方向間隔Ｓｂには下限値が存在する。従って、従来は、開孔９０の水平方向ピッチを微細化する場合には、一対の突出部９２ａ，９２ｂの垂直方向寸法ＤＢVを拡大することにより、一対の突出部９２ａ，９２ｂの影の縮小化による黒い横縞模様の発現を防止していた。
【００２５】
図示したように、ブリッジ９１の水平方向中心線９１’を垂直方向の中心とする垂直方向長さがＰの矩形領域１０１内における開孔９０の面積をＡ91、一対の突出部９２ａ，９２ｂの水平方向中心線９２’を垂直方向の中心とする垂直方向長さがＰの矩形領域１０２内における開孔９０の面積をＡ92とすると、一対の突出部９２ａ，９２ｂの垂直方向寸法ＤＢVを拡大するにしたがって、面積Ａ91は面積Ａ92よりも大きくなってしまう。
【００２６】
従って、このような開孔９０が形成されたシャドウマスク９５をマスクとして用いて露光法により蛍光体ストライプを形成する際には、前述のように一対の突出部９２ａ，９２ｂのまわりの開孔面積Ａ92が小さいことから、この部分で光量が不足して、ブリッジ９１の部分に比べて一対の突出部９２ａ，９２ｂの部分で蛍光体ストライプの幅が狭まり、蛍光体ストライプの幅が一定にならない。なお、一対の突出部９２ａ，９２ｂのまわりの光量不足を補うために露光時の揺動させる距離を大きくしても結果は同様で、ブリッジ９１のまわりの開孔面積Ａ91が大きいことからブリッジ９１のまわりで光量が過剰になってしまい、ブリッジ９１の部分で蛍光体ストライプの幅が広くなり、蛍光体ストライプの幅が一定にならない。このとき蛍光体ストライプは、図４（Ｂ）に示すように、ブリッジ９１に対応する部分にて幅が拡大した広幅部９９を備えた蛍光体ストライプ９８が形成されてしまう。
【００２７】
電源オン時には、蛍光体ストライプ９８のうち、シャドウマスク５の開孔９０を通過した電子ビームによって射突された部分が発光する。即ち、図４（Ｂ）において、開孔９０と蛍光体ストライプ９８との重複領域が発光可能領域となる。ここで、ブリッジ９１の水平方向中心線９１’に対応する位置を垂直方向の中心とする垂直方向長さＰの領域内における発光可能領域の面積をＥ91、一対の突出部９２ａ，９２ｂの水平方向中心線９２’に対応する位置を垂直方向の中心とする垂直方向長さＰの領域内における発光可能領域の面積をＥ92とする。面積Ｅ91と面積をＥ92とを比較すると、広幅部９９を含む面積Ｅ92の方が大きい。従って、画面表示時にこの面積Ｅ92を有する部分の輝度が他の部分の輝度に比べて大きくなる。この高輝度部分はブリッジ９１の配置に対応して縦横方向に規則正しく配置されるため、表示画面において明るい横縞模様として視認される。
【００２８】
次に、本発明の実施の形態を説明する。図５（Ａ）は、図３（Ａ）及び図３（Ｂ）に示した本発明のカラー陰極線管のシャドウマスクにおいて、ブリッジ近傍を示した拡大正面図である。図４（Ａ）と同様に、ブリッジ２１の水平方向中心線２１’を垂直方向の中心とする垂直方向長さがＰの矩形領域３１内における開孔２０の面積をＡ21、一対の突出部２２ａ，２２ｂの水平方向中心線２２’を垂直方向の中心とする垂直方向長さがＰの矩形領域３２内における開孔２０の面積をＡ22とする。
【００２９】
本実施の形態のシャドウマスク５では、図４（Ａ）及び図４（Ｂ）に示した従来のシャドウマスク９５と異なり、ブリッジ２１の根元部分での開孔２０の水平方向幅をＷ1、一対の突出部２２ａ，２２ｂの根元部分での開孔２０の水平方向幅をＷ2としたとき、Ｗ1＜Ｗ2である。従って、開孔２０の水平方向ピッチを微細化する際に、一対の突出部２２ａ，２２ｂの影の縮小化による黒い横縞模様の発現を防止するために、一対の突出部２２ａ，２２ｂの垂直方向寸法ＤＢVを拡大したとしても、面積Ａ21と面積Ａ22とをほぼ同一にすることができる。その結果、このような開孔２０が形成されたシャドウマスク５をマスクとして用いて露光法により蛍光体ストライプを形成すると、ブリッジ２１近傍を通過した光の光量と、一対の突出部２２ａ，２２ｂ近傍を通過した光の光量とが略同一であるので、図５（Ｂ）に示すように、幅が垂直方向においてほぼ一定である蛍光体ストライプ２８を形成することができる。
【００３０】
電源オン時には、蛍光体ストライプ２８のうち、シャドウマスク５の開孔２０を通過した電子ビームによって射突された部分が発光する。即ち、図５（Ｂ）において、開孔２０と蛍光体ストライプ２８との重複領域が発光可能領域となる。ここで、ブリッジ２１の水平方向中心線２１’に対応する位置を垂直方向の中心とする垂直方向長さＰの領域内における発光可能領域の面積をＥ21、一対の突出部２２ａ，２２ｂの水平方向中心線２２’に対応する位置を垂直方向の中心とする垂直方向長さＰの領域内における発光可能領域の面積をＥ22とする。本実施の形態では、蛍光体ストライプ２８の幅が略一定であるので、面積Ｅ21と面積Ｅ22とをほぼ同一にすることが可能である。これにより、蛍光体ストライプ２８の垂直方向の位置による輝度差を低減できるので、図４（Ａ）及び図４（Ｂ）に示した従来のカラー陰極線管で視認された明るい横縞模様の発生を防止できる。
【００３１】
以上のように、本実施の形態のカラー陰極線管では、ブリッジ２１の垂直方向ピッチＰVを拡大することによりドーミングの発生を防止することができる。また、垂直方向に隣り合うブリッジ２１の間に、蛍光体スクリーン上にブリッジ２１と同程度の影を形成する一対の突出部２２ａ，２２ｂを形成することにより、ブリッジ２１の垂直方向ピッチＰVの拡大によって発生する黒い横縞模様の発生を防止することができる。更に、開孔２０の水平方向幅がＷ1＜Ｗ2を満足することにより、露光法により均一幅の蛍光体ストライプ２８を形成することができるので、明るい横縞模様の発生を防止することができる。
【００３２】
上記の実施の形態において、開孔２０の一対の突出部２２ａ，２２ｂの根元部分での水平方向幅Ｗ2に対するブリッジ２１の根元部分での水平方向幅Ｗ1の比率（Ｗ1／Ｗ2×１００）は特に制限はないが、９０〜９７％であることが好ましい。この比率が９０％未満であると、表示画像においてブリッジ２１に対応する部分近傍での輝度が低下して黒い横縞模様が発現する可能性がある。また、上記比率が９７％を超えると、露光法により蛍光体ストライプを形成する場合には、ブリッジ２１に対応する部分で蛍光体ストライプ２８の幅が拡大し、画面上に明るい横縞模様が視認される可能性がある。
【００３３】
ブリッジ２１の根元部分での開孔２０の水平方向幅Ｗ1は、全てのブリッジ２１について同一であっても良いが、ブリッジ２１のシャドウマスク５内における位置により異なっていても良い。特に、水平方向幅Ｗ1は、シャドウマスク５の中央部において小さく、周辺部にいくに従って徐々に大きくなっていることが好ましい。電子ビーム７のシャドウマスク５に対する入射角はシャドウマスク５の周辺部ほど大きい。シャドウマスク５はＺ軸方向に厚みを有しているから、電子ビーム７のシャドウマスク５に対する入射角が大きくなるほど、電子ビーム７の進行方向に沿って見た開孔２０の有効な水平方向の開孔幅は狭くなる。従って、水平方向幅Ｗ1が、シャドウマスク５の周辺部にいくに従って徐々に大きい（即ち、Ｗ1／Ｗ2が１に近づく）ことにより、電子ビーム７の進行方向に沿って見た開孔２０の水平方向の有効開孔幅をシャドウマスク５の全領域にわたってほぼ均一にすることができるので、表示画像の全領域にわたって均一な輝度を得ることができる。
【００３４】
また、ブリッジ２１の根元部分での開孔２０の水平方向幅Ｗ1と、互いに対向する一対の突出部２２ａ，２２ｂの水平方向間隔Ｓｂとは、Ｓｂ＜Ｗ1を満足することが好ましい。これにより、図５（Ｂ）に示した発光可能領域の面積Ｅ21と発光可能領域の面積Ｅ22とをほぼ同一に設定することが容易になる。従って、明るい横縞模様の発生を容易に防止できる。
【００３５】
上記の実施の形態では、一対の突出部２２ａ，２２ｂの根元部分からブリッジ２１の根元部分までの間で、開孔２０の水平方向幅が図５（Ａ）に示すように階段状に変化する例を示した。しかしながら、本発明はこれに限定されず、例えば図６（Ａ）及び図６（Ｂ）のように、一対の突出部２２ａ，２２ｂの根元部分からブリッジ２１の根元部分にまでの間に、開孔２０の水平方向幅が徐々に変化するテーパ状部分を有していても良い。いずれの場合であってもＷ1＜Ｗ2を満足することにより、上記と同様の効果が得られる。
【実施例】
【００３６】
（実施例１）
本発明を画面対角サイズが６６ｃｍのカラー陰極線管に適用した。
【００３７】
鉄系材料からなる板材に、図３（Ａ）、図３（Ｂ）、及び図５（Ａ）に示すような開孔２０をエッチングにより形成してシャドウマスク５を得た。開孔２０の詳細寸法は以下の通りである。開孔２０の水平方向ピッチＰH＝０．７００ｍｍ、開孔２０の垂直方向ピッチＰV＝３．０ｍｍ、ブリッジ２１の根元部分での水平方向幅Ｗ1＝０．１６５ｍｍ、一対の突出部２２ａ，２２ｂの根元部分での水平方向幅Ｗ2＝０．１７０ｍｍ、ブリッジ２１の垂直方向幅ＢV＝０．０６０ｍｍ、突出部２２ａ，２２ｂの垂直方向幅ＤＢV＝０．１２３ｍｍ、互いに対向する一対の突出部２２ａ，２２ｂの水平方向間隔Ｓｂ＝０．０６５ｍｍ、垂直方向に隣り合う水平方向中心線２１’（又は、水平方向中心線２２’）と水平方向中心線２２’との間隔Ｐ＝０．６００ｍｍとした。
【００３８】
このシャドウマスク５を図２に示すように垂直方向に張力を付与して架張した。これをパネル２の内面に取り付けて、シャドウマスク５をマスクとして使用して露光法によりパネル２の内面に蛍光体スクリーン２ａを形成した。その後、図１に示すようなカラー陰極線管を製造した。
【００３９】
（実施例２）
本発明を画面対角サイズが７６ｃｍのカラー陰極線管に適用した。
【００４０】
鉄系材料からなる板材に、図３（Ａ）、図３（Ｂ）、及び図５（Ａ）に示すような開孔２０をエッチングにより形成してシャドウマスク５を得た。開孔２０の詳細寸法は以下の通りである。開孔２０の水平方向ピッチＰH＝０．５００ｍｍ、開孔２０の垂直方向ピッチＰV＝３．０ｍｍ、ブリッジ２１の根元部分での水平方向幅Ｗ1＝０．１１３ｍｍ、一対の突出部２２ａ，２２ｂの根元部分での水平方向幅Ｗ2＝０．１２１ｍｍ、ブリッジ２１の垂直方向幅ＢV＝０．０６０ｍｍ、突出部２２ａ，２２ｂの垂直方向幅ＤＢV＝０．２１１ｍｍ、互いに対向する一対の突出部２２ａ，２２ｂの水平方向間隔Ｓｂ＝０．０６５ｍｍ、垂直方向に隣り合う水平方向中心線２１’（又は、水平方向中心線２２’）と水平方向中心線２２’との間隔Ｐ＝０．６００ｍｍとした。
【００４１】
このシャドウマスク５を図２に示すように垂直方向に張力を付与して架張した。これをパネル２の内面に取り付けて、シャドウマスク５をマスクとして使用して露光法によりパネル２の内面に蛍光体スクリーン２ａを形成した。その後、図１に示すようなカラー陰極線管を製造した。
【００４２】
（比較例１）
シャドウマスク５の開孔の水平方向幅を、一対の突出部が形成された部分を除いて０．１７０ｍｍで一定（即ち、Ｗ1＝Ｗ2＝０．１７０ｍｍ）とする以外は実施例１と同様にしてカラー陰極線管を製造した。
【００４３】
（比較例２）
シャドウマスク５の開孔の水平方向幅を、一対の突出部が形成された部分を除いて０．１２１ｍｍで一定（即ち、Ｗ1＝Ｗ2＝０．１２１ｍｍ）とする以外は実施例２と同様にしてカラー陰極線管を製造した。
【００４４】
［評価］
実施例１，２、比較例１，２のカラー陰極線管を以下の観点で評価した。
【００４５】
（１）黒い横縞模様
表示画面を１ｍ離れた地点から観察し、ブリッジの影による黒い横縞模様が目視により確認できるか判断した。確認できない場合を「良」、確認できる場合を「不良」と判定した。
【００４６】
（２）明るい横縞模様
表示画面を１ｍ離れた地点から観察し、高輝度で発光する蛍光体ストライプの広幅部による明るい横縞模様が目視により確認できるか判断した。確認できない場合を「良」、確認できる場合を「不良」と判定した。
【００４７】
評価結果を表１にまとめて示す。
【００４８】
【表１】
2005259521.tif 000003
【００４９】
実施例１，２、比較例１，２は、黒い横縞模様に関しては良好な結果を示したが、実施例１，２は、明るい横縞模様に関して比較例１，２よりも優れた結果を示した。なお、ドーミングについては、実施例１，２及び比較例１，２のいずれも色ずれの起きない許容範囲内であることを確認した。従って、本発明により、ドーミングの発生が防止され、且つ、画面上に、黒い横縞模様も明るい横縞模様も視認されないカラー陰極線管を提供できることを確認した。
【産業上の利用可能性】
【００５０】
本発明の利用分野は特に限定はなく、一軸方向に架張保持されたシャドウマスクを備えたカラー陰極線管に広く利用することができる。
【図面の簡単な説明】
【００５１】
【図１】本発明の一実施形態に係るカラー陰極線管を示した概略断面図である。
【図２】本発明の一実施形態に係るカラー陰極線管において、シャドウマスクとマスクフレームとからなる組み立て体の概略構成を示した斜視図である。
【図３】図３（Ａ）は、本発明の一実施形態に係るカラー陰極線管において、シャドウマスクの部分拡大正面図、図３（Ｂ）は、本発明の一実施形態に係るカラー陰極線管において、シャドウマスクに形成された開孔を示した拡大正面図である。
【図４】図４（Ａ）は、従来のカラー陰極線管のシャドウマスクにおいて、ブリッジ近傍を示した拡大正面図である。図４（Ｂ）は、図４（Ａ）に示したシャドウマスクを用いて露光法により形成された蛍光体ストライプを示した拡大正面図である。
【図５】図５（Ａ）は、本発明の一実施形態に係るカラー陰極線管のシャドウマスクにおいて、ブリッジ近傍を示した拡大正面図である。図５（Ｂ）は、図５（Ａ）に示したシャドウマスクを用いて露光法により形成された蛍光体ストライプを示した拡大正面図である。
【図６】図６（Ａ）は、本発明に係るカラー陰極線管のシャドウマスクにおいて、ブリッジ近傍の開孔形状の別の例を示した拡大正面図、図６（Ｂ）は、本発明に係るカラー陰極線管のシャドウマスクにおいて、ブリッジ近傍の開孔形状の更に別の例を示した拡大正面図である。
【図７】図７は、従来のカラー陰極線管に搭載されるシャドウマスクとマスクフレームとからなる組み立て体の一実施形態を示した斜視図である。
【図８】図８は、従来のカラー陰極線管においてシャドウマスクに形成された開孔の一例を示した正面図である。
【図９】図９（Ａ）は、従来のカラー陰極線管においてシャドウマスクに形成された開孔の別の例を示した正面図である。図９（Ｂ）は、図９（Ａ）に示した開孔の詳細を示した正面図である。
【符号の説明】
【００５２】
１  カラー陰極線管
２  パネル
２ａ  蛍光体スクリーン
３  ファンネル
４  電子銃
５  シャドウマスク
６  マスクフレーム
７  電子ビーム
８  偏向ヨーク
１０  支持体
１１  弾性部材
１５  孔列
２０  開孔
２１  ブリッジ
２２ａ，２２ｂ  突出部
２８  蛍光体ストライプ
【図１】
2005259521.tif 000004
【図２】
2005259521.tif 000005
【図３】
2005259521.tif 000006
【図４】
2005259521.tif 000007
【図５】
2005259521.tif 000008
【図６】
2005259521.tif 000009
【図７】
2005259521.tif 000010
【図８】
2005259521.tif 000011
【図９】
2005259521.tif 000012